(57)【要約】【課題】底板が円弧状の曲面に形成された軒樋の底板端部に対しても装着が可能であり、施工性に優れるとともに、雨水が集水器に流れ込みやすい軒樋用ストッパーを提供する。【解決手段】集水器９に接続した軒樋８の端部が集水器から脱落するのを防止するために用いられる軒樋用ストッパー１であって、軒樋の底板８１端部の上面を上方から押さえる上片２と、底板端部の下面を下方から押さえる下片３と、上片と下片の間隔により軒樋の端部の挿入部５を形成して、上片と下片とを接続する接続部４と、その接続部から下方に垂設されたストッパー部６を備え、下片が、接続部３ｂから先端部３ａに向かって幅が狭まる先細形状に形成されている。【選択図】図１
2017193871.tif 000002
【特許請求の範囲】
【請求項１】
集水器に接続した軒樋の端部が前記集水器から脱落するのを防止するために用いられる軒樋用ストッパーであって、
前記軒樋の底板端部の上面を上方から押さえる上片と、
前記底板端部の下面を下方から押さえる下片と、
前記上片と前記下片の間隔により前記軒樋の端部の挿入部を形成して、前記上片と前記下片とを接続する接続部と、
その接続部から下方に垂設されたストッパー部を備え、
前記下片が、前記接続部から先端部に向かって幅が狭まる先細形状に形成されていることを特徴とする軒樋用ストッパー。
【請求項２】
前記上片が、前記接続部から先端部に向かって幅が狭まる先細形状に形成されていることを特徴とする請求項１に記載の軒樋用ストッパー。
【請求項３】
前記上片の前記接続部から前記挿入部とは反対側に舌片が延設されていることを特徴とする請求項１又は２に記載の軒樋用ストッパー。
【請求項４】
前記舌片が、前記接続部から先端部に向かって幅が狭まる先細形状に形成されていることを特徴とする請求項３に記載の軒樋用ストッパー。
【発明の詳細な説明】
【技術分野】
【０００１】
本発明は、軒樋用ストッパーに関する。
【背景技術】
【０００２】
降雨により建物の屋根にかかる雨水は、屋根から軒樋に流れ落ち、集水器に集められて竪樋に排水される。通常、集水器は建物の側壁部に軒樋の差込口を有し、この差込口に軒樋の端部が挿入、接続されて雨水が集水されるようにしている。
【０００３】
しかしながら、集水器に軒樋の端部を挿入するだけの状態では、軒樋の寒冷時の収縮や風雨等による軒樋の振動により軒樋が脱落したり、軒樋の接続部から漏水が生じる場合があった。
【０００４】
そのため、近年では、軒樋の脱落を防止するとともに、雨水の漏洩を防止するための軒樋の底板端部に装着する軒樋用ストッパーが提案されている。
【０００５】
具体的には、例えば、軒樋の底板を嵌着するための連結片と抜け防止片を有し、その連結片が、横長で矩形形状の上片と下片を備える軒樋用ストッパーが提示されている（例えば、特許文献１を参照）。
【０００６】
この提案の軒樋用ストッパーでは、軒樋の底板を上片と下片との隙間に嵌着して、上方から抜け防止片を嵌合させることによって軒樋の脱落の防止を図っている。
【０００７】
そして、このような構成とすることにより、一種類の軒樋用ストッパーで各種型式の集水器に適用することができ、量産効果によるコスト低減が図れるとともに、軒樋の脱落及び雨水の漏洩を防止することができるとしている。
【先行技術文献】
【特許文献】
【０００８】
【特許文献１】特開平８−３０２９３１号公報
【発明の概要】
【発明が解決しようとする課題】
【０００９】
一方、近年では、建物のデザインや屋根の形状等に合わせて、設置する軒樋もデザイン性に優れたものが用いられるようになっている。具体的には、例えば、底板が円弧状の曲面に形成された軒樋がある。
【００１０】
上記特許文献１に記載の軒樋用ストッパーは、軒樋の底板を挟み込む上片及び下片が横長で矩形状であるため、従来の底板が平面形状の軒樋には容易に装着が可能である。
【００１１】
しかしながら、デザイン性に優れた、底面板に円弧状の曲面を有する軒樋に対しては、上片と下片の間の間隔が直線的であるため挿入することが困難であるという問題があった。
【００１２】
また、連結片が上片と下片のみからなる構造であるため、軒樋の底板端部に接着剤を用いて装着する場合には接着剤により手指を汚すことが懸念され、施工性が悪いという問題があった。さらに、抜け防止片が別体の部材で形成されているため構造が複雑であるという問題があった。
【００１３】
本発明は、上記従来の問題点に鑑みてなされたものであり、底板が円弧状の曲面に形成された軒樋の底板端部に対しても装着が可能であり、施工性に優れるとともに、雨水が集水器に流れ込みやすい軒樋用ストッパーを提供することを課題とする。
【課題を解決するための手段】
【００１４】
本発明は、上記の課題を解決するために、以下のことを特徴としている。
【００１５】
すなわち、本発明の軒樋用ストッパーは、集水器に接続した軒樋の端部が前記集水器から脱落するのを防止するために用いられる軒樋用ストッパーであって、前記軒樋の底板端部の上面を上方から押さえる上片と、前記底板端部の下面を下方から押さえる下片と、前記上片と前記下片の間隔により前記軒樋の端部の挿入部を形成して、前記上片と前記下片とを接続する接続部と、その接続部から下方に垂設されたストッパー部を備え、前記下片が、前記接続部から先端部に向かって幅が狭まる先細形状に形成されていることを特徴とする。
【発明の効果】
【００１６】
本発明によれば、底板が円弧状の曲面に形成された軒樋の底板端部に対しても装着が可能であり、施工性に優れるとともに、雨水が集水器に流れ込みやすい軒樋用ストッパーを提供することが可能となる。
【図面の簡単な説明】
【００１７】
【図１】集水器に軒樋を取り付けて本発明の軒樋用ストッパーを装着した状態を示す概略断面図である。
【図２】本発明の軒樋用ストッパーの一実施形態の概略拡大断面図である。
【図３】本発明の軒樋用ストッパーの一実施形態の概略斜視図である。
【図４】本発明の軒樋用ストッパーの一実施形態の概略底面図である。
【図５】底板が円弧状の曲面に形成された軒樋の底板端部に軒樋用ストッパーを１個装着した状態を示す概略斜視図である。
【図６】集水器に軒樋を取り付けて軒樋用ストッパーを２個装着した状態を示す概略斜視図である。
【発明を実施するための形態】
【００１８】
本発明の軒樋用ストッパーについて図面に基づいて以下に詳述する。
【００１９】
図１は、集水器９に軒樋８を取り付けて本発明の軒樋用ストッパー１を装着した状態を示す概略断面図であり、図２は、本発明の軒樋用ストッパー１の一実施形態の概略拡大断面図である。図３は、軒樋用ストッパー１の一実施形態の概略斜視図であり、図４は概略底面図である。また、図５は底板８１が円弧状の曲面に形成された軒樋８の底板８１端部に軒樋用ストッパー１を１個装着した状態を示す概略斜視図であり、図６は、集水器９に軒樋８を取り付けて軒樋用ストッパー１を２個装着した状態を示す概略斜視図である。
【００２０】
本発明の軒樋用ストッパー１は、図１に示すように、集水器９に接続した軒樋８の端部が集水器９から脱落するのを防止するために用いられるものである。
【００２１】
軒樋用ストッパー１は、軒樋８の底板８１端部の上面を上方から押さえる上片２と、底板８１端部の下面を下方から押さえる下片３と、上片２と下片３の間隔により軒樋８の端部の挿入部５を形成して、上片２と下片３とを接続する接続部４とを有している。また、接続部４から下方に垂設されたストッパー部６を備え、下片３が、接続部４、３ｂから先端部３ａに向かって幅が狭まる先細形状に形成されている。
【００２２】
即ち、軒樋用ストッパー１は、集水器９に軒樋８を接続した状態で、上片２と下片３により軒樋８の端部を厚み方向に挟み込み、保持させることにより、集水器９からの軒樋８の脱落を防止するものである。
【００２３】
図１〜図３に示すように、上片２と下片３は間隔を置いて対向して配設されており、各々の端部は接続部４により接続されている。そして、対向する上片２と下片３の間の空間は、軒樋８の端部を挿入する挿入部５となっている。挿入部５の間隔は、装着する軒樋８の底板８１の厚みに応じて適宜決定することができる。
【００２４】
接続部４の下部には、下方に向けてストッパー部６が垂設されている。ストッパー部６の長さは特に限定されるものではないが、通常、軒樋８を接続する集水器９の深さ等に応じて適宜決定することができる。ストッパー部６を設けることにより、集水器９に軒樋８を接続した状態から軒樋８がずれた場合でも、図１に示すように、ストッパー部６が集水器９の内側面に引掛かり、軒樋８の脱落を防止することができる。
【００２５】
本発明の軒樋用ストッパー１の下片３は、接続部４、３ｂから先端部３ａに向かって幅が狭まる先細形状に形成されている。このような先細形状としては、例えば、図４に示す実施形態のように、下方から見て接続部４、３ｂを底辺とする二等辺三角形の形状を例示することができる。
【００２６】
下片３の先端部３ａを先細形状とすることにより、軒樋８の底板８１端部に軒樋用ストッパー１を装着しやすくすることができる。例えば、底板８１が長手方向に対して直角方向にアールが付いたデザインの軒樋８に軒樋用ストッパー１を装着する場合、従来の軒樋用ストッパー１は、下片３に相当する部材が矩形の平板であったため、非常に取付けが困難であったり、装着することができない場合があった。
【００２７】
これに対して、本実施形態の軒樋用ストッパー１では、下片３の二等辺三角形の頂点に当たる先端部３ａの先細部分が、最初に底板８１の端部の底面と噛合う。そのため、差し込み始めは底板８１が円弧状の曲面であっても殆どその影響を受けず、そのまま押し付けることにより容易に装着が可能となる。即ち、図５に示すように、底板８１が円弧状の曲面に形成されている軒樋８に対しても、本実施形態の軒樋用ストッパー１を容易に装着することができる。
【００２８】
なお、装着する軒樋８の底板８１が円弧状の曲面に形成されている場合、図４における下片３の底板８１が頂角及び高さの設定、即ち底辺となる接続部３ｂの幅の設定は、底板８１の曲面の曲率半径に応じた曲面としてもよい。例えば、曲率半径が大きくアールが緩やかな場合には頂角を大きくして底辺の寸法を大きくし、逆に曲率半径が小さくアールがきつい場合には頂角を小さくして底辺の寸法を小さく設定することができる。なお、底板８１は、二等辺三角形の平板でもよい。この場合は、装着される部分の軒樋８の底板８１を、挿入部５の形状に合うように変形させながら挿入することができる。
【００２９】
また、本実施形態の軒樋用ストッパー１においては、上片２が接続部４、２ｂから先端部２ａに向かって幅が狭まる先細形状に形成されていることが好ましい。具体的には、図１、図３〜図５に示すように、上方から見て接続部４、２ｂを底辺とする二等辺三角形の形状とすることができる。
【００３０】
二等辺三角形の頂角、高さ、底辺の設定は、上記下片３の二等辺三角形における頂角、高さ、底辺の設定と同様の理由により、装着する軒樋８の形状に応じて適宜決定することができる。
【００３１】
上片２を下片３と同様に先端部２ａを先細形状とすることにより、軒樋８の底板８１端部に対する軒樋用ストッパー１の装着をさらに容易に行うことができる。
【００３２】
また、上片２の接続部４から挿入部５とは反対側に舌片７を延設することが好ましい。舌片７は、接続部４から下流側に向かって上片２と一体に形成されている。舌片７の形状や厚みは特に限定されるものではないが、接続部４、７ｂから先端部７ａに向かって幅が狭まる先細形状に形成されていることが好ましい。
【００３３】
具体的には、例えば、図３〜図６に示すように、上方から見て接続部４を底辺とする二等辺三角形の形状とすることができる。舌片７を二等辺三角形の形状として接続部４、７ｂの下流側に設けることにより、軒樋用ストッパー１の上を流れてくる雨水を舌片の先端部７ａから集水器９に効率よく導入させることが可能となる。特に、図６に示すように軒樋８の底板８１端部に複数の軒樋用ストッパー１を横並びに装着することにより、複数の舌片７が櫛状の形状となるため、雨水の流れを細かく分散させることができ、より効率的に雨水を集水器９に導入させることができる。
【００３４】
また、装着施工の際には、舌片７を手指で持って軒樋８の底板８１端部に軒樋用ストッパー１を装着することができるため容易に装着施工を行うことができる。特に、挿入部５に接着剤を塗布して外れないように軒樋用ストッパー１を装着する場合には、手指に接着剤が付く虞がなくなるため、より装着施工が容易となる。
【００３５】
本実施形態の軒樋用ストッパー１の上片２、下片３、接続部４、ストッパー部６及び舌片７の各構成部材は、各々を別個に成形して接続してもよいが、全てを一体に成形してもよい。また、各々の構成部材の材質は、経年の使用によって著しく劣化しないものであれば特に限定されるものではなく、例えば、硬質の樹脂やゴム、ステンレスやアルミニウム等の金属、それらの複合体等によって形成されたものとすることができる。また、底板８１形状が円弧状の曲面である軒樋８に装着する場合には、曲面に沿いやすいように、多少可撓性を有する樹脂やゴム等の材質により形成することが好ましい。
【００３６】
本発明の軒樋用ストッパー１の大きさや装着する個数は、軒樋８の大きさ等応じて適宜決定することができ、例えば、図５に示すように軒樋８の底板８１端部に１個装着してもよいし、図６に示すように横並びに２個、或いは２個以上を装着してもよい。
【００３７】
上記の構造の本実施形態の軒樋用ストッパー１の装着手順は、まず、図６に示すように、集水器９の側壁に設けられた軒樋８の差込口９１に、軒樋８の上端部を挿入する。そして、図１に示すように、集水器９の排水口を臨むように挿入された軒樋８の底板８１端部に、軒樋用ストッパー１の舌片７を持って、挿入部５に底板８１端部を嵌合させて装着する。この際、挿入部５に接着剤を塗布して外れないように装着することが好ましい。
【００３８】
このように、本実施形態の軒樋用ストッパー１を軒樋８の底板８１端部に装着することにより、軒樋８の端部が集水器９から脱落することを防止することができる。
【００３９】
また、本発明の軒樋用ストッパー１によれば、底板８１が円弧状の曲面に形成された軒樋８の底板８１端部に対しても装着することが可能であり、施工性に優れるとともに、雨水が集水器９に流れ込みやすくすることができる。
【００４０】
以上、本発明の軒樋用ストッパー１を一実施形態に基づいて説明したが、本発明は上記の実施形態に限定されるものではなく、その要旨を逸脱しない範囲内において種々の変形、変更が可能である。
【００４１】
例えば、上記実施形態では、上片２及び上片２から延設された舌片７の各々の二等辺三角形の底辺を同一の寸法として、全体で菱形の形状としたが、装着する軒樋８の形状等に応じて各々の底辺の寸法の設定を異なったものとすることができる。
【００４２】
これにより、装着の容易性と、集水器９への雨水の流れ込み具合を其々最適な条件に設定することができる。
【符号の説明】
【００４３】
１  軒樋用ストッパー
２  上片
２ａ  上片の先端部
２ｂ  上片の接続部
３  下片
３ａ  下片の先端部
３ｂ  下片の接続部
４  接続部
５  挿入部
６  ストッパー部
７  舌片
７ａ  舌片の先端部
７ｂ  舌片の接続部
８  軒樋
８１  底板
９  集水器
【図１】
2017193871.tif 000003
【図２】
2017193871.tif 000004
【図３】
2017193871.tif 000005
【図４】
2017193871.tif 000006
【図５】
2017193871.tif 000007
【図６】
2017193871.tif 000008